(57)【要約】【課題】本発明の目的は、良好な放熱効果を有しかつ、眩しさを感じさせること防止するように光がランプから放射される前に光を反射できる非円錐形光反射面を含む反射性発光ダイオードランプを提供すること。【解決手段】反射性ＬＥＤランプ（２００）は、金属シェル（２）と、反射部材（３）と、ＬＥＤユニットとを含む。金属シェル（２）は、取り付け孔ユニットが形成された周壁（２２）と、周壁（２２）によって規定される収容空間（２３）とを含む。反射部材（３）は、収容空間（２３）内に配置され、かつ少なくとも一つの凹形曲面として構成される反射領域ユニットを含む。ＬＥＤユニットは、反射部材（３）の反射領域ユニットに光を照射するためにシェル（２）における取り付け孔ユニット内に配置されており、それによって光がシェル（２）から反射領域ユニットによって反射されるようになっている。【選択図】図５
2011222942.tif 000002
【特許請求の範囲】
【請求項１】
反射性ＬＥＤランプ（２００）であって：
前記反射性ＬＥＤランプ（２００）は、
取り付け孔ユニットが形成された周壁（２２）と、前記周壁（２２）によって規定される収容空間（２３）と、を含む金属シェル（２）と；
前記収容空間（２３）内に配置され、かつ少なくとも一つの凹形曲面として構成される反射領域ユニットを含む反射部材（３）と；
前記反射部材（３）の前記反射領域ユニットに光を照射するために前記シェル（２）における前記取り付け孔ユニット内に配置されており、それによって前記光が前記シェル（２）から前記反射領域ユニットによって反射されるようになっている、ＬＥＤユニットと；
を具備してなることを特徴とする反射性ＬＥＤランプ（２００）。
【請求項２】
前記シェル（２）の前記取り付け孔ユニットは、取り付け孔（２２１）を含んでおり、前記反射部材（３）の前記反射領域ユニットは、前記凹形曲面として構成された反射領域（３２）を含んでおり、かつ前記ランプ（２００）はＬＥＤ（４）を具備してなることを特徴とする請求項１に記載の反射性ＬＥＤランプ（２００）。
【請求項３】
前記反射領域（３２）は焦点を有しており、前記ＬＥＤ（４）は前記焦点に配置されていることを特徴とする請求項２に記載の反射性ＬＥＤランプ（２００）。
【請求項４】
前記反射領域（３２）は、複数の反射面（３２１）をさらに有しており、前記反射面（３２１）の任意の隣接する二つが、相互接続されていることを特徴とする請求項３に記載の反射性ＬＥＤランプ（２００）。
【請求項５】
前記反射領域（３２）は、前記ＬＥＤ（４）の下方に配置される湾曲中心部（Ｃ）を規定しており、前記反射面（３２１）は前記湾曲中心部（Ｃ）の上方に位置させられており、前記反射面（３２１）の領域は上方へ向かって漸進的に増大するようになっていることを特徴とする請求項４に記載の反射性ＬＥＤランプ（２００）。
【請求項６】
前記反射面（３２１）の傾斜角は、上方へ向かって漸進的に増大するようになっていることを特徴とする請求項５に記載の反射性ＬＥＤランプ（２００）。
【請求項７】
前記シェル（２）は、前記周壁（２２）の外面から延在する複数の放熱フィン（２４）をさらに含むことを特徴とする請求項６に記載の反射性ＬＥＤランプ（２００）。
【請求項８】
前記シェル（２）の取り付け孔ユニットは、複数の取り付け孔（２２１）を含んでおり；
前記反射部材（３）の反射領域ユニットは、前記凹形曲面としてそれぞれが構成される複数の反射領域（３２）を含んでおり；かつ、
前記反射性ＬＥＤランプ（２００）は、前記シェル（２）における前記取り付け孔（２２１）内にそれぞれ配置された複数のＬＥＤ（４）を具備してなり、前記ＬＥＤ（４）のそれぞれは、前記反射部材（３）の前記反射領域（３２）のそれぞれに光を照射し、それによって光が前記シェル（２）から反射されるようになっていることを特徴とする請求項７に記載の反射性ＬＥＤランプ（２００）。
【請求項９】
前記反射領域（３２）のそれぞれは焦点を有しており、前記ＬＥＤ（４）は前記反射領域（３２）の前記焦点にそれぞれ配置されていることを特徴とする請求項８に記載の反射性ＬＥＤランプ（２００）。
【請求項１０】
前記反射領域（３２）のそれぞれは、複数の反射面（３２１）をさらに有しており、前記反射面（３２１）の任意の隣接する二つが、相互接続されていることを特徴とする請求項９に記載の反射性ＬＥＤランプ（２００）。
【請求項１１】
前記反射領域（３２）のそれぞれが、前記ＬＥＤ（４）の対応するものの下方に配置される湾曲中心部（Ｃ）を規定しており、前記反射領域（３２）のそれぞれの前記反射面（３２１）は、前記反射領域（３２）の対応するものの前記湾曲中心部（Ｃ）の上方に配置されており、前記反射領域（３２）のそれぞれの前記反射面（３２１）の領域は上方に向かって漸進的に増大されるようになっていることを特徴とする請求項１０に記載の反射性ＬＥＤランプ（２００）。
【請求項１２】
前記反射領域（３２）のそれぞれの前記反射面（３２１）の傾斜角は、上方に向かって漸進的に増大されるものであることを特徴とする請求項１１に記載の反射性ＬＥＤランプ（２００）。
【請求項１３】
前記シェル（２）は、前記周壁（２２）の外面から延在する複数の放熱フィン（２４）をさらに含んでいることを特徴とする請求項８に記載の反射性ＬＥＤランプ（２００）。
【発明の詳細な説明】
【技術分野】
【０００１】
本発明は、ランプ、詳細には反射性発光ダイオードランプ（REFLECTIVE LED LAMP）に関するものである。
【背景技術】
【０００２】
図１を参照すると、特許文献１に開示された従来の反射ランプ１が示されており、この反射ランプ１は金属製スリーブ１１と、スリーブ１１の端部壁の中央部に配置される円錐形反射面１２とを備える。スリーブ１１の周壁１１１には、ＬＥＤ１３を収容するための取り付け孔１１２が形成されている。
【０００３】
ＬＥＤ１３から発光される光１３１は、反射光１３２を形成するよう円錐形反射面１２に照射され、そしてスリーブ１１１を透過する。
【０００４】
スリーブ１１は金属製であるため、ＬＥＤ１３から急速に放熱できるようになっている。さらにスリーブ１１を通過した光１３２は反射光であるため、ぎらぎらした眩さを感じさせることを回避させることができる。
【先行技術文献】
【特許文献】
【０００５】
【特許文献１】台湾特許第200933075号明細書
【発明の概要】
【発明が解決しようとする課題】
【０００６】
本発明の目的は、良好な放熱効果を有しかつ、眩しさを感じさせることを防止するように、光がランプから放射される前に光を反射できる非円錐形光反射面を含む反射性発光ダイオードランプを提供することである。
【課題を解決するための手段】
【０００７】
こうした本発明によれば、反射性ＬＥＤランプは、以下の構成、すなわち、
取り付け孔ユニットが形成された周壁と、周壁によって規定される収容空間とを含む金属シェルと；
収容空間内に配置され、かつ少なくとも一つの凹形曲面として構成される反射領域ユニットを含む反射部材と；
反射部材の反射領域ユニットに光を照射するためにシェルにおける取り付け孔ユニット内に配置されており、それによって光が反射領域ユニットによってシェルから照射されるようになっている、ＬＥＤユニットと；
を備える。
【発明の効果】
【０００８】
上記ＬＥＤユニットは金属製シェル内に配置されるため、ランプの使用時にシェルから迅速に放熱することができる。さらに、光はシェルを通過する前に反射領域ユニットによって反射されるので、眩さを感じさせることが防止される。
【０００９】
本発明の上記特徴および他の特徴ならびにその利点について、図面を参照しながら本発明の好ましい実施形態に関連して詳細に説明する。
【図面の簡単な説明】
【００１０】
【図１】特許文献１の開示された従来の反射ランプの斜視図である。
【図２】想像線によって光透過性カバーが示されている、本発明に基づく反射性ＬＥＤランプの好ましい実施形態の斜視図である。
【図３】簡潔にするために光透過性カバーが除去された状態の、好ましい実施形態の平面図である。
【図４】光の経路を示した、好ましい実施形態の部分側面図である。
【図５】光の経路を示した、好ましい実施形態の断面図である。
【発明を実施するための形態】
【００１１】
図２を参照すると、本発明に基づく反射性ＬＥＤランプの好ましい実施形態は放熱金属シェル２と、反射部材３と、複数のＬＥＤ４を含むＬＥＤユニットとを備える。
【００１２】
図３，４および５を参照すると、シェル２は、銅などの熱伝導性金属から形成されており、かつベースウォール２１（図５参照）と、上方に開口された収容空間２３を形成するようベースウォール２１の外周と一体的に結合された周壁２２とを有する。反射部材３はガラスからなり、かつ収容空間２３内部に配置される。ボルト３０が、ベースウォール２１におけるねじ切り孔に係合されるように反射部材３における中央孔３１を通って延在しており、それによって、反射部材３は、ベースウォール２１にかつ収容空間２３の内部に固定されるようになる。
【００１３】
反射部材３は、凹形曲面としてそれぞれが構成された複数の相互接続される反射領域３２を含む反射領域ユニットを有する。周壁２２には取り付け孔ユニットが形成されており、取り付け孔ユニットは、円状に配置され、角度をつけて等間隔に配置された取り付け孔２２１を複数備えている。反射領域３２は取り付け孔２２１にそれぞれ対応している。ＬＥＤ４のそれぞれは、円形状ボード（図示せず）上に取り付けられており、かつ電力伝達ケーブル（図示せず）によってシェル２の導電ランプベース５に電気的に接続されている。そのため、ＬＥＤ４は回路基板に電気が供給されたときに発光可能となる。ＬＥＤ４は、それぞれが反射領域３２へと光を投射するために取り付け孔２２１内にそれぞれ配置されている。反射領域３２に投射された光は、スリーブ２の上端に取り付けられた光透過性カバー６を通ってシェル２から出て行くように反射される。
【００１４】
ＬＥＤ４は金属シェル２の周壁２２における取り付け孔２２１内にそれぞれ配置されているため、熱はＬＥＤ４からシェル２を経て迅速に放出され得る。シェル２は、シェル２の放熱効果を向上させるために、シェル２の周壁２２の外面から延在する複数の放熱フィン２４をさらに含んでいる。ＬＥＤ４はシェル２内に封入されているため、ＬＥＤ４を直接見ることによって眩さを感じさせることを防ぐことができる。
【００１５】
ＬＥＤ４のそれぞれは、対応する反射領域３２の焦点に位置されており、そのため、反射領域３２によって反射された光線は互いに平行となる。取り付け孔２２１は角度をなして等間隔に配置されているため、反射光は、対称的でありかつ均一な光形状を有するものとなる。反射領域３２のそれぞれは、湾曲中心部（Ｃ）を規定し、かつ湾曲中心部（Ｃ）の上に配置された複数の反射面３２１を有する。任意の隣接した二つの反射面３２１は、接続部３２２によって相互接続されている。反射領域３２によって反射される光の光形状を向上させるように、反射領域３２のそれぞれの反射面３２１の領域（面積）は上方へ向かって徐々に増大されるようになっており、かつ反射領域３２のそれぞれの反射面３２１の傾斜角もまた上方へ向かって増大されるようになっている。
【００１６】
この実施形態において、ランプ２００は、三つの反射領域３２と、三つの取り付け孔２２１と、三つのＬＥＤ４とを備えている。代替的には、それぞれの構成要素の数は、一つ、二つ、もしくは三つ以上であってもよい。
【００１７】
上記説明に鑑みて、本発明のランプ２００は以下の利点を有している。
（１）熱を、ＬＥＤ４から金属シェル２を経て迅速に放出できる。
（２）ＬＥＤ４を、直接見ることによってもたらされる眩しさを避けるために、使用者が直接見ないようにすることができる。
（３）ＬＥＤ４がそれぞれ反射領域３２の焦点に配置されているため、反射領域３２によって反射された光線は互いに対して平行となる。
（４）周壁２２における取り付け孔２２１は角度をつけて等間隔で配置されており、かつ反射領域３２が取り付け孔２２１にそれぞれ対応している。そのため、光が反射領域３２に反射される際には、光は相対的に対称的でありかつ均一な光形状を有するものとなる。
【００１８】
ボルト３０が設けられているため、反射部材３の中央部からは反射された光線は平行にはならないことに留意されたい。こうした問題を解決するために、複数の傾斜された光線が反射され、それによってランプ２００から照射される光うちの暗い中央部が取り除かれるように、反射領域３２のそれぞれの表面部の形状を変更することができる。あるいは傾斜された光線は、ランプ２００から照射される光の領域を増加させるように外側に向かって反射されても良い。
【００１９】
以上、本発明について説明したが、本発明の範囲および要旨から逸脱せずにさまざまな変更および変形が可能であることは明らかだ。このように本発明は特許請求の範囲の記載によってのみ限定されるものであることを目的としている。
【符号の説明】
【００２０】
１  従来の反射ランプ
２  金属シェル
３  反射部材
４  ＬＥＤ
５  導電ランプベース
６  光透過性カバー
１１  金属製スリーブ
１２  円錐形反射面
１３  ＬＥＤ
２１  ベースウォール
２２  周壁
２３  収容空間
２４  放熱フィン
３０  ボルト
３１  中央孔
３２  反射領域
１１１  スリーブ
１１２  取り付け孔
１３１  ＬＥＤからの光
１３２  反射光
２００  ランプ
２２１  取り付け孔
３２１  反射面
３２２  接続部
Ｃ  湾曲中心部
【図１】
2011222942.tif 000003
【図２】
2011222942.tif 000004
【図３】
2011222942.tif 000005
【図４】
2011222942.tif 000006
【図５】
2011222942.tif 000007
【外国語明細書】
2011222942.tif 000008
2011222942.tif 000009
2011222942.tif 000010
2011222942.tif 000011
2011222942.tif 000012
2011222942.tif 000013
2011222942.tif 000014
2011222942.tif 000015
2011222942.tif 000016
2011222942.tif 000017
2011222942.tif 000018
2011222942.tif 000019
2011222942.tif 000020
2011222942.tif 000021
2011222942.tif 000022